(57)【要約】【課題】データサイズにかかわらず、配布資料の印刷コストを低減しつつ、要望の資料を提供する。【解決手段】原稿データの白黒変換による置換印刷が要求された場合に、カラーオブジェクトデータを白黒変換することにより原稿データの白黒データを印刷対象データとして生成すると共に、原稿データを保存用データとして生成するデータ生成ステップと、データ生成ステップにより生成された保存用データをデータ保存サーバに送信すると共に、データ保存サーバに保存された保存用データの保存先を示すアドレス情報を取得する保存用データ送信ステップと、アドレス情報を、アドレス情報よりも読み取り時における認識率の高いアドレス情報コードに変換し、印刷対象データにアドレス情報コードを付加して印刷用データを生成し、印刷装置３に印刷させるデータ印刷ステップとを有する。【選択図】図１
2014109971.tif 000002
【特許請求の範囲】
【請求項１】
原稿データの置換印刷が指示された場合、前記原稿データに基づいて、用紙に印刷するための印刷対象データと、ネットワークを介して接続されたデータ保存サーバに送信するための保存用データとを生成するデータ生成ステップと、
前記データ生成ステップにより生成された保存用データを前記データ保存サーバに送信すると共に、前記データ保存サーバに保存された前記保存用データの保存先を示すアドレス情報を取得する保存用データ送信ステップと、
前記印刷対象データに、前記保存用データ送信ステップにより取得されたアドレス情報を付加して印刷用データを生成し、印刷装置に印刷させるデータ印刷ステップと、
をコンピュータに実行させることを特徴とする置換印刷制御プログラム。
【請求項２】
前記原稿データは、カラーオブジェクトデータを含み、
前記データ生成ステップは、
前記原稿データの白黒変換による前記置換印刷が要求された場合に、前記カラーオブジェクトデータを白黒変換することにより前記原稿データの白黒データを前記印刷対象データとして生成すると共に、前記原稿データを前記保存用データとして生成する
ことを特徴とする請求項１に記載の置換印刷制御プログラム。
【請求項３】
前記原稿データは、詳細内容を示す詳細データと、前記詳細データの概要を示す概要データとを含み、
前記データ生成ステップは、
前記原稿データの詳細削除による前記置換印刷が要求された場合に、前記原稿データのうち、前記概要データを前記印刷対象データとして生成すると共に、前記詳細データを前記保存用データとして生成する
ことを特徴とする請求項１に記載の置換印刷制御プログラム。
【請求項４】
前記データ生成ステップは、
前記原稿データの面付けによる前記置換印刷が要求された場合に、前記原稿データを面付け処理することにより前記印刷対象データとして面付けデータを生成すると共に、前記原稿データを前記保存用データとして生成する
ことを特徴とする請求項１に記載の置換印刷制御プログラム。
【請求項５】
原稿データの置換印刷が指示された場合、前記原稿データに基づいて、用紙に印刷するための印刷対象データと、ネットワークを介して接続されたデータ保存サーバに送信するための保存用データとを生成するデータ生成手段と、
前記データ生成手段により生成された保存用データを前記データ保存サーバに送信すると共に、前記データ保存サーバに保存された前記保存用データの保存先を示すアドレス情報を取得する保存用データ送信手段と、
前記印刷対象データに、前記保存用データ送信手段により取得されたアドレス情報を付加して印刷用データを生成し、印刷装置に印刷させるデータ印刷手段と、
を備えたことを特徴とする置換印刷制御装置。
【発明の詳細な説明】
【技術分野】
【０００１】
本発明は、印刷装置に接続されたコンピュータにインストールされ、原稿データを置換し、この置換したデータに基づいて印刷装置に印刷させる置換印刷制御プログラム及び置換印刷制御装置に関する。
【背景技術】
【０００２】
従来の印刷装置として、例えば、バーコード情報を含む原稿画像を読み取り、そのバーコード情報に含まれる識別情報が印刷処理を示す場合は、バーコード情報に含まれる画像データに基づいて印刷させるものが提案されている（例えば、特許文献１参照）。
【先行技術文献】
【特許文献】
【０００３】
【特許文献１】特開２０１０−１４７９５６号公報
【発明の概要】
【発明が解決しようとする課題】
【０００４】
ところで、近年、カラー印刷機やカラー複合機等の普及により、会議や講演会などで配布する資料には、白黒（モノクロ）印刷のものだけでなく、カラー印刷のものが増えてきている。しかしながら、通常、カラー印刷は白黒印刷よりも印刷コストが数倍以上かかるため、資料を作成し配布する主催者等の配布資料作成者側の立場からすると、できるだけカラー印刷を控えて配布資料の印刷コストを低減したいという要望がある。
【０００５】
一方で、配布資料が配布される配布資料受取者の中には、カラー印刷で配布資料を見たいという要望もある。
【０００６】
また、資料全体が膨大な頁数になる場合には、その会議や講演会などの場では、膨大な資料全てを使用せず、また全ての出席者がその資料全体に興味があるとは限らないため、配布資料作成者側の立場からすると、論文の詳細な内容や頁数が多い資料等の詳細・資料データは印刷せずに、印刷して配布する配布資料は、印刷コストの面から論文の要旨や概要等の要旨・概要データを印刷した予稿集等だけで済ましたいという要望もある。
【０００７】
一方で、配布資料が配布される配布資料受取者の中には、要旨や概要だけでなく、詳細な内容を見たいという要望もある。
【０００８】
特許文献１に記載された技術では、バーコード自体が印刷すべき文書データや画像データ等の原稿データを含むようにしているため、バーコードに含めるべき原稿データのデータサイズが大きくなると、バーコードでは原稿データ表現できない。特に、カラー原稿の場合、データサイズが大きくなり易く、バーコードでは原稿データを表現できない場合が多かった。
【０００９】
そのため、配布資料作成者が配布する資料の印刷コストを低減しつつ、配布資料受取者が要望する資料を提供することができないという問題があった。
【００１０】
本発明は、このような問題に鑑みてなされたものであり、データサイズにかかわらず、配布する資料の印刷コストを低減しつつ、要望の資料を提供する置換印刷制御プログラム及び置換印刷制御装置を提供することにある。
【課題を解決するための手段】
【００１１】
上記目的を達成するため、本発明の置換印刷制御プログラムの第１の特徴は、原稿データの置換印刷が指示された場合、前記原稿データに基づいて、用紙に印刷するための印刷対象データと、ネットワークを介して接続されたデータ保存サーバに送信するための保存用データとを生成するデータ生成ステップと、前記データ生成ステップにより生成された保存用データを前記データ保存サーバに送信すると共に、前記データ保存サーバに保存された前記保存用データの保存先を示すアドレス情報を取得する保存用データ送信ステップと、前記印刷対象データに、前記保存用データ送信ステップにより取得されたアドレス情報を付加して印刷用データを生成し、印刷装置に印刷させるデータ印刷ステップと、をコンピュータに実行させることにある。
【００１２】
また、本発明の置換印刷制御プログラムの第２の特徴は、前記原稿データは、カラーオブジェクトデータを含み、前記データ生成ステップは、前記原稿データの白黒変換による前記置換印刷が要求された場合に、前記カラーオブジェクトデータを白黒変換することにより前記原稿データの白黒データを前記印刷対象データとして生成すると共に、前記原稿データを前記保存用データとして生成することにある。
【００１３】
また、本発明の置換印刷制御プログラムの第３の特徴は、前記原稿データは、詳細内容を示す詳細データと、前記詳細データの概要を示す概要データとを含み、前記データ生成ステップは、前記原稿データの詳細削除による前記置換印刷が要求された場合に、前記原稿データのうち、前記概要データを前記印刷対象データとして生成すると共に、前記詳細データを前記保存用データとして生成することにある。
【００１４】
また、本発明の置換印刷制御プログラムの第４の特徴は、前記データ生成ステップは、前記原稿データの面付けによる前記置換印刷が要求された場合に、前記原稿データを面付け処理することにより前記印刷対象データとして面付けデータを生成すると共に、前記原稿データを前記保存用データとして生成することにある。
【００１５】
上記目的を達成するため、本発明の置換印刷制御装置の第１の特徴は、原稿データの置換印刷が指示された場合、前記原稿データに基づいて、用紙に印刷するための印刷対象データと、ネットワークを介して接続されたデータ保存サーバに送信するための保存用データとを生成するデータ生成手段と、前記データ生成手段により生成された保存用データを前記データ保存サーバに送信すると共に、前記データ保存サーバに保存された前記保存用データの保存先を示すアドレス情報を取得する保存用データ送信手段と、前記印刷対象データに、前記保存用データ送信手段により取得されたアドレス情報を付加して印刷用データを生成し、印刷装置に印刷させるデータ印刷手段と、を備えたことにある。
【００１６】
ここで、置換印刷とは、原稿データを置換し、この置換したデータに基づいて印刷装置に印刷させる印刷方法のことであり、例えば、原稿データを白黒変換する白黒変換印刷モードによる置換印刷、先頭頁等の概要データを印刷する詳細・資料削除モードによる置換印刷、又は原稿データが１枚に複数頁のＮアップ印刷（面付け印刷）されるＮアップ印刷モードによる置換印刷がある。
【発明の効果】
【００１７】
本発明の置換印刷制御プログラムの第１の特徴によれば、原稿データの置換印刷が指示された場合、前記原稿データに基づいて、用紙に印刷するための印刷対象データと、ネットワークを介して接続されたデータ保存サーバに送信するための保存用データとを生成するデータ生成ステップと、前記データ生成ステップにより生成された保存用データを前記データ保存サーバに送信すると共に、前記データ保存サーバに保存された前記保存用データの保存先を示すアドレス情報を取得する保存用データ送信ステップと、前記印刷対象データに、前記保存用データ送信ステップにより取得されたアドレス情報を付加して印刷用データを生成し、印刷装置に印刷させるデータ印刷ステップと、をコンピュータに実行させるので、配布する資料の印刷コストを低減しつつ、要望の資料を提供することができる。具体的には、配布資料作成者側の立場からすると、配布資料の印刷コストをなるべく低減することができる。また、配布資料受取者からすると、配布資料に印刷されていないその配布資料に関連する保存用データは、配布資料に印刷されたアドレス情報に基づきデータ保存サーバからダウンロードして確実に入手することができる。
【００１８】
また、本発明の置換印刷制御プログラムの第２の特徴によれば、原稿データは、カラーオブジェクトデータを含み、データ生成ステップは、原稿データの白黒変換による置換印刷が要求された場合に、カラーオブジェクトデータを白黒変換することにより原稿データの白黒データを印刷対象データとして生成すると共に、原稿データを前記保存用データとして生成するので、配布資料作成者側の立場からすると、カラー印刷を行わないので、配布資料の印刷コストをなるべく低減することができる。また、配布資料受取者からすると、カラー印刷データは印刷されて配布されないものの、配布資料に印刷されたアドレス情報に基づきデータ保存サーバからダウンロードして確実に入手することができる。
【００１９】
また、本発明の置換印刷制御プログラムの第３の特徴によれば、
原稿データは、詳細内容を示す詳細データと、詳細データの概要を示す概要データとを含み、データ生成ステップは、原稿データの詳細削除による置換印刷が要求された場合に、原稿データのうち、概要データを印刷対象データとして生成すると共に、詳細データを前記保存用データとして生成するので、配布資料作成者側の立場からすると、詳細データは印刷を行わないので配布資料の印刷コストをなるべく低減することができる。また、配布資料受取者からすると、詳細データは印刷されて配布されないものの、配布資料に印刷されたアドレス情報に基づきデータ保存サーバからダウンロードすることにより確実に入手することができる。
【００２０】
また、本発明の置換印刷制御プログラムの第４の特徴によれば、データ生成ステップは、原稿データの面付けによる置換印刷が要求された場合に、原稿データを面付け処理することにより印刷対象データとして面付けデータを生成すると共に、原稿データを保存用データとして生成するので、配布資料は面付け印刷（Ｎアップ印刷）されるため、印刷コストをなるべく低減することができる一方、面付け印刷（Ｎアップ印刷）されていない原稿データは配布資料に印刷されたアドレス情報に基づきデータ保存サーバからダウンロードすることにより確実に入手することができる。
【００２１】
また、本発明の置換印刷制御装置の第１の特徴によれば、原稿データの置換印刷が指示された場合、前記原稿データに基づいて、用紙に印刷するための印刷対象データと、ネットワークを介して接続されたデータ保存サーバに送信するための保存用データとを生成するデータ生成手段と、前記データ生成手段により生成された保存用データを前記データ保存サーバに送信すると共に、前記データ保存サーバに保存された前記保存用データの保存先を示すアドレス情報を取得する保存用データ送信手段と、前記印刷対象データに、前記保存用データ送信手段により取得されたアドレス情報を付加して印刷用データを生成し、印刷装置に印刷させるデータ印刷手段とを備えたので、配布する資料の印刷コストを低減しつつ、要望の資料を提供することができる。具体的には、配布資料作成者側の立場からすると、配布資料の印刷コストをなるべく低減することができる。また、配布資料受取者からすると、配布資料に印刷されていないその配布資料に関連する保存用データは、配布資料に印刷されたアドレス情報に基づきデータ保存サーバからダウンロードして確実に入手することができる。
【図面の簡単な説明】
【００２２】
【図１】本発明の実施例１である置換印刷制御プログラムを実行することにより置換印刷制御装置として機能するクライアントコンピュータを備えた印刷システムの構成を示す図である。
【図２】本発明の実施例１である置換印刷制御プログラムの実行により制御される置換印刷制御方法を示すフローチャートである。
【図３】本発明の実施例１である置換印刷制御プログラムの実行によるステップＳ１１０の処理によって表示部に表示される印刷設定画面の一例を示す図である。
【図４】本発明の実施例１である置換印刷制御プログラムの実行により表示部に表示された印刷設定画面において置換印刷詳細設定ボタンが選択された場合に表示部に表示される置換印刷設定画面の一例を示す図である。
【図５】本発明の実施例１である置換印刷制御プログラムの実行により生成される保存用データである原稿データをデータ保存サーバにアップロードする際にクライアントコンピュータの表示部に表示されるアップロード確認画面の一例である。
【図６】本発明の実施例１である置換印刷制御プログラムの実行により生成される保存用データであるカラーの原稿データをデータ保存サーバにアップロードしている際に表示部に表示されるアップロード中画面の一例である。
【図７】本発明の実施例１である置換印刷制御プログラムによって実行される置換印刷制御方法を模式的に記載した図である。
【図８】本発明の実施例２である置換印刷制御プログラムによって実行される置換印刷制御方法を示すフローチャートである。
【図９】本発明の実施例２である置換印刷制御プログラムによって実行される置換印刷制御方法を模式的に記載した図である。
【図１０】本発明の実施例３の置換印刷制御プログラムによって実行される置換印刷制御方法を示すフローチャートである。
【図１１】本発明の実施例４である保存用データ受信制御プログラムによって印刷装置６にて実行される保存用データ受信制御方法の処理手順を示すフローチャートである。
【発明を実施するための形態】
【００２３】
以下、本発明の実施例１〜３では、置換印刷制御プログラムについて図面を参照しながら詳細に説明する。
【００２４】
また、本発明の実施例４では、本発明の実施例１〜３である置換印刷制御プログラムの実行により保存された保存用データをダウンロードするための保存用データ受信制御プログラムについて説明する。この置換印刷制御プログラムと保存用データ受信制御プログラムと合わせて、印刷配信プログラムという。
【００２５】
（実施例１）
図１は、本発明の実施例１である置換印刷制御プログラムを実行することにより置換印刷制御装置として機能するクライアントコンピュータを備えた印刷システムの構成を示す図である。
【００２６】
印刷システム１０は、クライアントコンピュータ１と、印刷装置３と、保存用データ受信制御プログラムを実行することにより保存用データ受信制御装置として機能する印刷装置６と、データ保存サーバ５とを備えている。
【００２７】
本発明の置換印刷制御プログラムを実行するコンピュータ装置であるクライアントコンピュータ１は、イントラネット２を介して印刷装置３と接続されると共に、イントラネット２およびインターネット４を介してデータ保存サーバ５や印刷装置６と接続されている。なお、印刷装置６の構成については、本発明の実施例４で詳細に説明する。
【００２８】
クライアントコンピュータ１は、汎用のパーソナルコンピュータと同様であり、各種プログラムを実行するＣＰＵ１１と、メモリ１２と、各種プログラムを記憶したＨＤＤ１３と、液晶モニタ等の表示部１４と、キーボードやマウス等の入力部１５と、イントラネット２と接続するためのＬＡＮインターフェース部等の通信処理部１６等を有している。なお、ＨＤＤ１３はＳＳＤ（Solid State Drive）やメモリでも良い。
【００２９】
ここで、クライアントコンピュータ１のＨＤＤ１３には、オペレーショシステム（ＯＳ）の他に、原稿データを作成するための各種プログラムを記憶している。具体的には、文書のファイルを作成するための文書作成アプリケーションプログラム（以下、アプリケーションと略す。）１３１ａや、表ファイルを作成するための表作成アプリケーション１３１ｂ、プレゼンテーションファイルを作成するためのプレゼン資料作成アプリケーション１３１ｃ等のアプリケーション１３１の他に、アプリケーション１３１の実行によって作成したファイルに対し所定の印刷設定を行った印刷ジョブを生成して印刷装置３に対し送信するためのプリンタドライバプログラム（以下、プリンタドライバと略す。）１３２等が格納されている。
【００３０】
そして、クライアントコンピュータ１のプリンタドライバ１３２には、本発明の実施例１である置換印刷制御プログラム１３２ａが含まれている。
【００３１】
ＣＰＵ１１は、ＨＤＤ１３に格納された置換印刷制御プログラム１３２ａを実行することにより、図示しないデータ生成部と、保存用データ送信部と、データ印刷部とを実装する。
【００３２】
データ生成部は、原稿データの置換印刷が指示された場合、原稿データに基づいて、用紙に印刷するための印刷対象データと、イントラネット２及びインターネット４等のネットワークを介して接続されたデータ保存サーバ５に送信するための保存用データとを生成する。
【００３３】
例えば、原稿データには、カラーオブジェクトデータが含まれており、データ生成部は、原稿データの白黒変換による置換印刷が要求された場合に、カラーオブジェクトデータを白黒変換することにより原稿データの白黒データを印刷対象データとして生成すると共に、原稿データを保存用データとして生成する。ここで、カラーオブジェクトデータとは、図や表、写真等のカラーで表現されたカラー画像データやカラーで表現された文字データのことをいう。
【００３４】
保存用データ送信部は、データ生成部により生成された保存用データをデータ保存サーバ５に送信すると共に、データ保存サーバ５に保存された保存用データの保存先を示すアドレス情報を取得する。
【００３５】
データ印刷部は、印刷対象データに、保存用データ送信部により取得されたアドレス情報を付加して印刷用データを生成し、印刷装置３に印刷させる。
【００３６】
また、データ印刷部は、アドレス情報を、アドレス情報よりも読み取り時における認識率の高いアドレス情報コードに変換し、印刷対象データにアドレス情報コードを付加して印刷用データを生成し、印刷装置３に印刷させるようにしてもよい。
【００３７】
印刷装置３は、印刷装置３の動作全般を制御するＣＰＵ３１と、各クライアントコンピュータ１が送信してきた印刷ジョブ等を記憶するメモリ３２と、ＣＰＵ３１が実行するプログラム等が格納されたＨＤＤ３３と、液晶モニタ等の表示部３４と、印刷装置３の各種操作ボタンが設けられた操作受付部３５と、ＣＰＵ３１からの各種動作命令に従って用紙を搬送すると共に、メモリ３２に記憶した印刷ジョブ等を読み出して各種印刷を行う印刷実行部３６と、スキャナ部３７と、イントラネット２と接続するためのＬＡＮインターフェース部等の通信処理部３８等を有している。なお、ＨＤＤ３３もＳＳＤやメモリでも良い。
【００３８】
次に、クライアントコンピュータ１のＣＰＵ１１が、ＨＤＤ１３に格納された置換印刷制御プログラム１３２ａを実行することにより制御される置換印刷制御方法を、図面を参照して説明する。
【００３９】
図２は、本発明の実施例１である置換印刷制御プログラムの実行により制御される置換印刷制御方法を示すフローチャートである。ここで、クライアントコンピュータ１は、文書作成アプリケーション１３１ａや、表作成アプリケーション１３１ｂ、プレゼン資料作成アプリケーション１３１ｃ等のアプリケーション１３１の実行により、カラーオブジェクトデータが含まれた原稿データを生成しているとする。
【００４０】
図２に示すように、クライアントコンピュータ１のＣＰＵ１１のデータ生成部は、原稿データの生成後、その原稿データの印刷指示があると（ステップＳ１００；ＹＥＳ）、プリンタドライバ１３２の置換印刷制御プログラム１３２ａを実行し、表示部１４上に図３に示すような印刷設定画面１４ａを表示する（ステップＳ１１０）。
【００４１】
そして、ＣＰＵ１１のデータ生成部は、ユーザ操作に基づいて、印刷実行部数等を設定すると共に、本発明の置換印刷を行うか否か判定する（ステップＳ１２０）。
【００４２】
図３は、本発明の実施例１である置換印刷制御プログラムの実行によるステップＳ１１０の処理によって表示される表示部１４に印刷設定画面１４ａの一例を示す図である。
【００４３】
図３に示すように、印刷設定画面１４ａには、印刷実行部数を設定する印刷実行部数設定欄、レ点の有無により選択するプログラム印刷設選択欄、白紙節約選択欄、連続排紙選択欄、ウオーターマーク（すかし）選択欄、ページ／日付印字選択欄、暗証番号選択欄の一般的な印刷設定項目の設定を行う一般設定欄１４ａ３と、置換印刷を行うか否かを選択する置換印刷選択欄１４ａ１と、置換印刷の詳細設定を行う置換印刷設定画面１４ｂを表示させるための置換印刷詳細設定ボタン１４ａ２等が設けられている。この置換印刷選択欄１４ａ１を選択しない場合には、アプリケーション１３１によって生成された原稿データを印刷設定画面１４ａのそれ以外の欄で設定された印刷設定で通常印刷されることになる。
【００４４】
図４は、図３に示す印刷設定画面１４ａにおいて置換印刷詳細設定ボタン１４ａ２が選択された場合に表示部１４に表示される置換印刷設定画面１４ｂの一例を示す図である。
【００４５】
置換印刷設定画面１４ｂは、図４に示す印刷設定画面１４ａにて置換印刷選択欄１４ａ１が選択され、かつ、置換印刷詳細設定ボタン１４ａ２が選択された場合に表示部１４に表示される画面である。
【００４６】
図４に示すように、置換印刷設定画面１４ｂは、“一括”または“ページ単位”のドキュメントリンク単位を選択するドキュメントリンク単位選択欄１４ｂ１と、置換印刷のモードとして原稿データを白黒変換する白黒変換印刷モードを選択する白黒変換印刷モード選択欄１４ｂ２と、２頁目以降の詳細データは印刷せずデータ保存サーバ５に保存し、先頭頁等の概要データを印刷する詳細・資料削除モードを選択する詳細・資料削除モード選択欄１４ｂ３と、原稿データが１枚に複数頁のＮアップ印刷（面付け印刷）されるＮアップ印刷モード選択欄１４ｂ４と、データ保存サーバ５に保存用データをアップロードして記憶する際、保存用データを暗号化するか否かをユーザに選択させる暗号化選択欄１４ｂ５等が表示される。
【００４７】
なお、本発明の実施例１では、ユーザによって置換印刷設定画面１４ｂにおいて白黒変換印刷モード選択欄１４ｂ２と暗号化選択欄１４ｂ５が選択され、白黒変換印刷モードの置換印刷が行われる例について説明し、後述する本発明の実施例２では、詳細・資料削除モード選択欄１４ｂ３と暗号化選択欄１４ｂ５が選択されて、詳細・資料削除モードの置換印刷が行われる例について説明し、さらに、本発明の実施例３では、Ｎアップ印刷モード選択欄１４ｂ４と暗号化選択欄１４ｂ５が選択されて、Ｎアップ印刷モードの置換印刷が行われる例について説明する。
【００４８】
図２に戻り、ステップＳ１２０において、表示部１４上に表示された印刷設定画面１４ａの置換印刷選択欄１４ａ１において置換印刷が選択されない場合には（ＮＯの場合）、ユーザは通常に原稿データを印刷する通常印刷を選択したことになる。そのため、クライアントコンピュータ１のＣＰＵ１１は、原稿データを印刷装置３に送信し、図３に示す印刷設定画面１４ａにて設定された印刷設定に従って通常に印刷させる（ステップＳ１２５）。即ち、原稿データのテキスト等の白黒オブジェクトデータはそのまま白黒印刷され、色が付された図表や写真等のカラーオブジェクトデータは、カラー印刷される。
【００４９】
一方、ステップＳ１２０において、表示部１４上に表示された印刷設定画面１４ａの置換印刷選択欄１４ａ１が選択され、置換印刷設定画面１４ｂにおいて白黒変換印刷モード選択欄１４ｂ２が選択された場合（ＹＥＳの場合）、ＣＰＵ１１のデータ生成部は、まず、アプリケーション１３１によって生成した原稿データのうちからカラーオブジェクトデータを検索する（ステップＳ１３０）。
【００５０】
次に、ＣＰＵ１１のデータ生成部は、原稿データのうちからカラーオブジェクトデータを検索すると、検索したカラーオブジェクトデータを白黒印刷される白黒オブジェクトに変換することにより、印刷対象データとして白黒印刷データを生成する（ステップＳ１４０）。
【００５１】
次に、ＣＰＵ１１の保存用データ送信部は、カラーオブジェクトデータを含む原稿データ、即ちカラーの原稿データをデータ保存サーバ５にアップロードし（ステップＳ１５０）、原稿データのアップロードが完了（成功）したか否かを判定する（ステップＳ１６０）。ここで、図４に示す置換印刷設定画面１４ｂで暗号化選択欄１４ｂ５が選択されている場合には、ステップＳ１５０のアップロードの際、保存用データを暗号化してデータ保存サーバ５に保存するため、保存用データをダウンロードする際、パスワード等の入力が必要となる。
【００５２】
図５は、保存用データである原稿データをデータ保存サーバ５にアップロードする際にクライアントコンピュータ１の表示部１４に表示されるアップロード確認画面１４ｃの一例である。
【００５３】
図５に示すように、このアップロード確認画面１４ｃには、「データ保存サーバに保存用データをアップロードする」ことが選択されたことを示すアップロード選択欄１４ｃ１や、そのデータ保存サーバ５のルートアドレス表示欄１４ｃ２、ユーザー設定欄１４ｃ３や、サブフォルダの作成ルール設定欄１４ｃ４等が表示されて、ユーザが選択する。なお、本発明の実施例１では、アップロード確認画面１４ｃを表示するか否かは任意であり、アップロード確認画面１４ｃの表示を省略しても良い。
【００５４】
図６は、保存用データであるカラーの原稿データをデータ保存サーバ５にアップロードしている際に表示部１４に表示されるアップロード中画面１４ｄの一例である。
【００５５】
図６に示すように、このアップロード中画面１４ｄには、“データ保存サーバに保存用データをアップロードしています“等のメッセージが表示されると共に、アップロードファイル数を示すアップロード状態バー１４ｄ１や、 図２に示したステップＳ１６０において、原稿データのアップロードが完了（成功）した場合（ＹＥＳの場合）、“１ファイル完了”等のメッセージ等が表示される。
【００５６】
そして、ＣＰＵ１１の保存用データ送信部は、データ保存サーバ５へ保存用データであるカラーの原稿データのアップロードが完了（成功）すると（ステップＳ１６０；ＹＥＳ）、データ保存サーバ５におけるカラーの原稿データの保存先を示すＵＲＬ等のアドレス情報を取得する（ステップＳ１７０）。
【００５７】
次に、ＣＰＵ１１のデータ印刷部は、取得したアドレス情報を２次元バーコード等のアドレス情報コードに変換する（ステップＳ１８０）。
【００５８】
そして、ＣＰＵ１１のデータ印刷部は、ステップＳ１４０において生成された印刷対象データである白黒印刷データに、ステップＳ１８０において変換されたアドレス情報コードを付加することにより印刷用データを生成し（ステップＳ１９０）、印刷装置３に、生成された印刷用データを印刷させる（ステップＳ１９５）。
【００５９】
図７は、本発明の実施例１である置換印刷制御プログラムによって実行される置換印刷制御方法を模式的に記載した図である。
【００６０】
図７に示すように、カラーの原稿データ１０１の置換印刷が指示された場合、カラーの原稿データ１０１が、保存用データとしてデータ保存サーバ５にアップロードされる。そして、https://192.168.1.1/xxx/1.prn等のようなアップロードされた保存先のアドレス情報１０５が取得され、この取得されたアドレス情報１０５が変換されて、２次元バーコード等のアドレス情報コード１０７が生成される。
【００６１】
一方、カラーの原稿データ１０１のうちから、表やグラフ等のカラーオブジェクトデータ１０１ａが検索されると、検索されたカラーオブジェクトデータ１０１ａが白黒印刷される白黒オブジェクト１０３ａに変換されることにより、印刷対象データとして白黒印刷データ１０３が生成される。
【００６２】
そして、生成された白黒印刷データ１０３にアドレス情報コード１０７が付加されることにより印刷用データ１０９が生成され、印刷装置３により印刷される。
【００６３】
以上のように、本発明の実施例１である置換印刷制御プログラムによれば、原稿データの白黒変換による置換印刷が要求された場合に、カラーオブジェクトデータを白黒変換することにより原稿データの白黒データを印刷対象データとして生成すると共に、原稿データを保存用データとして生成するデータ生成ステップと、データ生成ステップにより生成された保存用データをデータ保存サーバに送信すると共に、データ保存サーバに保存された保存用データの保存先を示すアドレス情報を取得する保存用データ送信ステップと、アドレス情報を、アドレス情報よりも読み取り時における認識率の高いアドレス情報コードに変換し、印刷対象データにアドレス情報コードを付加して印刷用データを生成し、印刷装置に印刷させるデータ印刷ステップとを有するので、データサイズにかかわらず、配布資料の印刷コストを低減しつつ、要望の資料を提供することができる。
【００６４】
具体的には、配布資料作成者側の立場からすると、カラー印刷を行わないので、カラー印刷を行わない分だけ配布資料の印刷コストを低減することができる。また、配布資料受取者の立場からすると、カラーの原稿データは印刷されて配布されないものの、配布資料に印刷されたアドレス情報に基づきデータ保存サーバ５から確実に入手することができる。
【００６５】
その結果、例えば、セミナー講師がカラー印刷された図表や写真等のカラーオブジェクトデータを数多く使用してプロジェクター等を使用したプレゼンや講演などを行う場合でも、その配布資料は白黒印刷されるため、セミナーや研修資料の配布資料に有効である。
【００６６】
また、本発明の実施例１では、原稿データをそのまま印刷する通常印刷か、本発明の置換印刷をユーザに選択させる印刷設定画面１４ａを表示するようにしたため、ユーザは印刷部数などを設定する印刷設定の際に、通常印刷と置換印刷のいずれか一方を簡単に選択することができる。
【００６７】
さらに、本発明の実施例１では、データ保存サーバ５における保存用データである原稿データのアドレス情報を、アドレス情報よりも読み取り時における認識率の高い２次元バーコード等のアドレス情報コードに変換して用紙に印刷するため、配布資料受取者からすると、２次元バーコード等のアドレス情報コードに基づいてアドレス情報を確実に取得して、データ保存サーバ５からカラーの原稿カラーのデータを確実に入手することができる。
【００６８】
また、この実施例１では、保存用データをデータ保存サーバ５に送信して保存させる際、保存用データを暗号化して保存することを選択できるため、保存用データが秘密性や限定性の高いデータの場合には、その暗号を解くパスワードを配布資料の最後等に印刷したり、別の用紙や電子メール等によりその配布資料を配布したセミナー受講者等の特定の者にだけ教示することにより、保存用データの秘密性や限定性を向上させることができる。
【００６９】
ただし、本発明では、必ずしも、データ保存サーバ５に保存用データをアップロードして記憶する際、保存用データを暗号化する必要はなく、暗号化しない場合、図４の置換印刷設定画面１４ｂの暗号化選択欄１４ｂ５を省略しても良い。なお、本発明では、置換印刷設定画面１４ｂを表示してユーザに選択させるか否かも任意であり、印刷設定画面１４ａで置換印刷の各モードを選択しても良いし、さらには一義的に置換印刷のいずれかのモードが決定されるようにしてもよい。
【００７０】
なお、本発明の実施例１では、置換印刷制御プログラム１３２ａは、プリンタドライバ１３２の中に含まれているものとして説明したが、これに限らず、アプリケーションとしてＨＤＤ１３に格納されていても良い。また、置換印刷制御プログラム１３２ａは、イントラネット２およびインターネット４を介して図示しないサーバからクライアントコンピュータ１にダウンロードしてＨＤＤ１３に格納したり、あるいは置換印刷制御プログラム１３２ａが記録されたＣＤやＤＶＤ等の記録媒体からクライアントコンピュータ１が読み取ってＨＤＤ１３に格納するようにしても良い。
【００７１】
さらに、本発明では、必ずしもデータ保存サーバ５における保存用データの保存先を示すアドレス情報を２次元バーコード等のアドレス情報コードに変換する必要はなく、そのアドレス情報を直接用紙に印刷するようにしてもよい。
【００７２】
また、図２に示したフローチャートでは、データ保存サーバ５へ保存用データであるカラーの原稿データのアップロードが成功しなかった場合、すなわち失敗した場合には（ステップＳ１６０；ＮＯ）、上述の通常印刷を行うようにしたが（ステップＳ１２５）、ステップＳ１５０の処理に戻って保存用データのアップロードが完了（成功）するまで（ステップＳ１６０；ＹＥＳ）、保存用データのアップロード（ステップＳ１５０）を繰り返し実行するようにしても良い。
【００７３】
（実施例２）
本発明の実施例１では、白黒変換印刷モードによる置換印刷の例を説明したが、本発明の実施例２では、詳細・資料削除モードの置換印刷を例に挙げて説明する。
【００７４】
本発明の実施例１の白黒変換印刷モードによる置換印刷では、図４に示す置換印刷設定画面１４ｂにおいて白黒変換印刷モード選択欄１４ｂ２が選択されて、白黒変換印刷モードの置換印刷、即ち、カラーオブジェクトデータを白黒変換して原稿データの白黒データを生成し、この生成した白黒データにアドレス情報を付加することにより印刷用データを生成すると共に、原稿データを保存用データとして生成する置換印刷制御プログラムを例に挙げて説明した。
【００７５】
本発明の実施例２では、図４に示す置換印刷設定画面１４ｂにおいて詳細・資料削除モード選択欄１４ｂ３が選択されて、詳細・資料削除モードの置換印刷を実行する場合について説明する。即ち、原稿データのうち、概要データにアドレス情報を付加することにより印刷用データを生成すると共に、詳細データを保存用データとして生成する置換印刷制御プログラムを例に挙げて説明する。なお、本発明の実施例２のハードウェア構成は、本発明の実施例１のハードウェア構成と同一であるため、図１の構成図を参照して説明する。
【００７６】
図８は、本発明の実施例２である置換印刷制御プログラムによって実行される置換印刷制御方法を示すフローチャートである。
【００７７】
なお、図２に示す本発明の実施例１である置換印刷制御プログラムによって実行される置換印刷制御方法を示すフローチャートと同じ処理ステップには、同一のステップ番号を付して説明を省略し、本発明の実施例２に特有の処理ステップのみ説明する。
【００７８】
図８に示すように、表示部１４上に表示された印刷設定画面１４ａの置換印刷選択欄１４ａ１において置換印刷が選択された場合（ステップＳ１２０；ＹＥＳ）、ＣＰＵ１１のデータ生成部は、まず、アプリケーション１３１により生成された原稿データのうちから概要データ及び詳細データを検索する（ステップＳ２１０）。
【００７９】
ここで、概要データとは、論文などにおいて最初の１頁に掲載される要旨や概要（要約）のデータであり、詳細データとは、概要データに続く、数頁〜数１０頁以上のデータのことをいう。また、特許公開公報の場合であれば、書誌事項や発明の要約等が記載された最初の１頁のフロントページのデータが概要データであり、２頁目以降のデータが詳細データとなる。
【００８０】
次に、ＣＰＵ１１の保存用データ送信部は、原稿データのうちから概要データ及び詳細データを検索すると、検索した詳細データをデータ保存サーバ５にアップロードして（ステップＳ２２０）、データ保存サーバ５への詳細データのアップロードが完了（成功）したか否かを判定する（ステップＳ２３０）。なお、図４に示す置換印刷設定画面１４ｂで暗号化選択欄１４ｂ５が選択されている場合には、ステップＳ２２０のアップロードの際、保存用データである詳細データを暗号化してデータ保存サーバ５に保存するため、詳細データをダウンロードする際、パスワード等の入力が必要となる。
【００８１】
データ保存サーバ５への保存用データである詳細データのアップロードが完了（成功）すると（ステップＳ２３０；ＹＥＳ）、ＣＰＵ１１の保存用データ送信部は、データ保存サーバ５におけるその詳細データの保存先を示すアドレス情報を取得する（ステップＳ２４０）。
【００８２】
そして、ＣＰＵ１１のデータ印刷部は、取得したアドレス情報を２次元バーコード等のアドレス情報コードに変換して（ステップＳ２５０）、概要データに、詳細データの保存先を示すアドレス情報コードを付加することにより印刷用データを生成し（ステップＳ２６０）、印刷装置３に、生成された印刷用データを印刷させる（ステップＳ２７０）。
【００８３】
一方、データ保存サーバ５へ保存用データである詳細データのアップロードが成功しなかった場合、すなわち失敗した場合には（ステップＳ２３０；ＮＯ）、ステップＳ２２０の処理に戻って詳細データのアップロードが完了（成功）するまで（ステップＳ２３０；ＹＥＳ）、詳細データのアップロード（ステップＳ２２０）を繰り返し実行する。なお、詳細データのアップロードが失敗した場合には（ステップＳ２３０；ＮＯ）、図３に示した本発明の実施例１と同様に概要データと詳細データの通常印刷を行うようにしても良い（ステップＳ１２５）。また、本発明の実施例２においても、本発明の実施例１と同様に、アドレス情報を２次元バーコード等のアドレス情報コードに変換する必要はなく、アドレス情報を直接用紙に印刷することもできる。
【００８４】
図９は、本発明の実施例２である置換印刷制御プログラムによって実行される置換印刷制御方法を模式的に記載した図である。
【００８５】
図９に示すように、原稿データ２０１の置換印刷が指示された場合、原稿データ２０１のうちの詳細データ２０１ｂが、保存用データとしてデータ保存サーバ５にアップロードされる。そして、https://192.168.1.1/xxx/1.prn等のようなアップロードされた保存先のアドレス情報２０３が取得され、この取得されたアドレス情報２０３が変換されて、２次元バーコード等のアドレス情報コード２０４が生成される。
【００８６】
一方、原稿データ２０１のうちから、概要データ２０１ａが検索されると、検索された概要データ２０１ａが、印刷対象データとして生成される。
【００８７】
そして、生成された概要データ２０１ａにアドレス情報コード２０４が付加されることにより印刷用データ２０６が生成され、印刷装置３により印刷される。
【００８８】
以上のように、本発明の実施例２の置換印刷制御プログラムによれば、原稿データの詳細削除による置換印刷が要求された場合に、原稿データのうち、概要データを印刷対象データとして生成すると共に、詳細データを保存用データとして生成する生成するデータ生成ステップと、保存用データをデータ保存サーバ５に送信すると共に、データ保存サーバ５に保存された保存用データの保存先を示すアドレス情報を取得する保存用データ送信ステップと、アドレス情報を、アドレス情報よりも読み取り時における認識率の高いアドレス情報コードに変換し、印刷対象データにアドレス情報コードを付加して印刷用データを生成し、印刷装置３に印刷させるデータ印刷ステップとを有するので、データサイズにかかわらず、配布資料の印刷コストを低減しつつ、要望の資料を提供することができる。
【００８９】
具体的には、配布資料作成者側の立場からすると、頁数が多い詳細データは印刷を行わず、頁数が１枚等少ない概要データのみ詳細データのアドレス情報を示す２次元バーコード等のアドレス情報コードと共に印刷されることになるため、配布資料の印刷コストをなるべく低減することができる。また、配布資料受取者からすると、詳細データは印刷されて配布されないものの、後でデータ保存サーバ５からダウンロードすることにより確実に入手することができるため、配布資料に詳細データが印刷されていないとしても不便にはならない。
【００９０】
その結果、本発明の実施例２の置換印刷制御プログラム等によって生成される配布資料は、例えば、学術研究成果発表のまとめ資料を印刷する場合、すなわち研究室毎の研究データを束ねた各論文の先頭ページである概要データのみまとめて予稿集として印刷する一方、各研究室の研究データや論文の中身は詳細データとしてデータ保存サーバ５としてアップロードする場合に最適である。また、頁数の多いチラシやカタログ、フリーペーパー等を印刷する場合に、御買い得品等が掲載された表紙は概要データとして印刷する一方、表紙に続く他の頁は詳細データとしてデータ保存サーバ５としてアップロードする場合にも最適である。
【００９１】
なお、本発明の実施例２では、論文などにおいて最初の１頁のデータを概要データとし、概要データに続く、数頁〜数１０頁以上のデータを詳細データとしたが、これに限らない。
【００９２】
例えば、図４に示す置換印刷設定画面１４ｂのドキュメントリンク単位選択欄１４ｂ１、で“ページ単位”のドキュメントリンク単位が選択され、ページ数が設定されると、論文などにおいて最初のページから設定されたページ数分のデータを概要データとし、概要データに続く、数頁〜数１０頁以上のデータを詳細データとしてもよい。
【００９３】
さらに、原稿データの内容により、概要データと詳細データを判別するようにしてもよい。具体的には、予め、原稿データの生成時に原稿データ生成ルールとして、原稿データの、“要旨”や“概要（要約）”、“序論”、“はじめに”、“目次（もくじ）”等のタイトルがある頁、さらには顔写真がある頁は、概要データであると判別する。その一方、“詳細”や“概要”等のタイトル、概要データの頁に続く次の頁から次の概要データまでの間の頁のデータ、さらには図や表などを有する頁のデータは詳細データであると判別するようにしてもよい。
【００９４】
（実施例３）
本発明の実施例１では、白黒変換印刷モードによる置換印刷、本発明の実施例２では、詳細・資料削除モードによる置換印刷を説明したが、本発明の実施例３では、置換印刷設定画面１４ｂにおいてＮアップ印刷モード選択欄１４ｂ４が選択されて、Ｎアップ印刷モードの置換印刷する例について説明する。なお、本発明の実施例３のハードウェア構成は、本発明の実施例２の場合と同様に、本発明の実施例１のハードウェア構成と同一であるため、図１の構成図を参照して説明する。
【００９５】
図１０は、本発明の実施例３の置換印刷制御プログラムによって実行される置換印刷制御方法を示すフローチャートである。なお、図１０のうち、図２に示す本発明の実施例１の置換印刷制御方法と同じ処理ステップには、同じステップ番号を付して説明を省略し、本発明の実施例３に特有の処理ステップのみ説明する。
【００９６】
図１０に示すように、表示部１４上に表示された印刷設定画面１４ａの置換印刷選択欄１４ａ１において置換印刷が選択された場合には（ステップＳ１２０；ＹＥＳ）、クライアントコンピュータ１のＣＰＵ１１の保存用データ送信部は、アプリケーション１３１によって生成した原稿データ全てをデータ保存サーバ５にアップロードして（ステップＳ３１０）、データ保存サーバ５への原稿データの全てのアップロードが完了（成功）したか否かを判定する（ステップＳ３２０）。なお、図４に示す置換印刷設定画面１４ｂで暗号化選択欄１４ｂ５が選択されている場合には、ステップＳ３１０のアップロードの際、保存用データである原稿データを暗号化してデータ保存サーバ５に保存するため、原稿データをダウンロードする際、パスワード等の入力が必要となる。
【００９７】
ステップＳ３２０において、データ保存サーバ５への原稿データ全てのアップロードが完了（成功）すると（ＹＥＳの場合）、ＣＰＵ１１の保存用データ送信部は、データ保存サーバ５におけるその原稿データの保存先を示すアドレス情報を取得する（ステップＳ３３０）。
【００９８】
そして、ＣＰＵ１１のデータ印刷部は、取得したアドレス情報を２次元バーコード等のアドレス情報コードに変換する（ステップＳ３４０）。
【００９９】
次に、ＣＰＵ１１のデータ生成部は、原稿データを構成する各頁のデータを４ｕｐ印刷や６ｕｐ印刷等のＮアップ印刷処理（面付け処理）することにより、Ｎアップ印刷データ（面付けデータ）を印刷対象データとして生成する（ステップＳ３５０）。
【０１００】
そして、ＣＰＵ１１のデータ印刷部は、Ｎアップ印刷される最後の頁等に、データ保存サーバ５における原稿データの保存先を示すアドレス情報コードを付加することにより、印刷用データを生成し（ステップＳ３６０）、印刷装置３に、生成された印刷用データを印刷させる（ステップＳ３７０）。
【０１０１】
以上のように、本発明の実施例３の置換印刷制御プログラムによれば、原稿データのＮアップ（面付け）による置換印刷が要求された場合に、原稿データを面付け処理することにより面付けデータを印刷対象データとして生成すると共に、原稿データを保存用データとして生成するデータ生成ステップと、保存用データをデータ保存サーバ５に送信すると共に、データ保存サーバ５に保存された保存用データの保存先を示すアドレス情報を取得する保存用データ送信ステップと、アドレス情報を、アドレス情報よりも読み取り時における認識率の高いアドレス情報コードに変換し、印刷対象データにアドレス情報コードを付加して印刷用データを生成し、印刷装置３に印刷させるデータ印刷ステップとを有するので、データサイズにかかわらず、配布資料の印刷コストを低減しつつ、要望の資料を提供することができる。
【０１０２】
具体的には、配布資料作成者側の立場からすると、原稿データ全体は印刷されずアドレス情報コードと共にＮアップ印刷（面付け印刷）されるため、配布資料の印刷コストを１／Ｎ等に低減することができる。また、配布資料受取者からすると、原稿データ自体は後でデータ保存サーバ５からダウンロードすることにより確実に入手することができるため、配布資料に原稿データがＮアップ印刷により小さく印刷されても、不便にはならない。
【０１０３】
なお、本発明の実施例１〜３では、クライアントコンピュータ１側のプリンタドライバ１３２に置換印刷制御プログラム１３２ａを設けて説明したが、本発明では、これに限らず、例えば、クライアントコンピュータ１から印刷装置３に原稿データを送信して記憶させておき、印刷装置３にてユーザ認証を行って、印刷装置３側で原稿データの印刷指示を行う場合には、本発明の実施例１〜３と同様の置換印刷制御プログラム１３２ａを印刷装置３のＨＤＤ３３にアプリケーションとして格納して、印刷装置３のＣＰＵ３１に、本発明の実施例１〜３のクライアントコンピュータ１と同様に置換印刷制御プログラム１３２ａを実行させるようにしても良い。
【０１０４】
（実施例４）
次に、本発明の実施例４を、図面を参照しながら詳細に説明する。
【０１０５】
本発明の実施例４では、上述した本発明の実施例１〜３の置換印刷制御プログラムがクライアントコンピュータ１により実行され、ユーザが、印刷装置３で置換印刷された配布資料を受取った際に、データ保存サーバ５からカラーの原稿データ（実施例１の場合）や詳細データ（実施例２の場合）、Ｎアップ印刷されていない原稿データ（実施例３の場合）等の保存用データをダウンロードするための保存用データ受信制御プログラムについて説明する。
【０１０６】
なお、本発明の実施例４のハードウェア構成は、本発明の実施例１のハードウェア構成と同一であるため、図１の構成図を参照して説明する。
【０１０７】
図１に示すように、本発明の実施例４である印刷装置６は、インターネット４に接続されており、印刷装置６の動作全般を制御するＣＰＵ６１と、印刷用データ等を記憶するメモリ６２と、ＣＰＵ６１が実行するプログラム等が格納されたＨＤＤ６３と、液晶モニタ等の表示部６４と、印刷装置６の各種操作ボタンが設けられた操作受付部６５と、ＣＰＵ６１からの各種動作命令に従って用紙を搬送すると共に、メモリ６２に記憶した印刷用データ等を読み出して各種印刷を行う印刷実行部６６と、スキャナ部６７と、インターネット４と接続するためのＬＡＮインターフェース部等の通信処理部６８等を有している。そして、ＨＤＤ６３に格納されるプリンタドライバ６３１の中に、本発明の実施例４の保存用データ受信制御プログラム６３１ａが格納されている。なお、保存用データ受信制御プログラム６３１ａは、プリンタドライバ６３１としてではなく、アプリケーションとしてＨＤＤ６３に格納されていても勿論良い。
【０１０８】
図１１は、本発明の実施例４である保存用データ受信制御プログラムによって印刷装置６にて実行される保存用データ受信制御方法の処理手順を示すフローチャートである。
【０１０９】
図１１に示すように、印刷装置６のＣＰＵ６１は、ユーザによって操作受付部６５にて置換印刷（保存用データ受信）が選択されたか否かを判定する（ステップＳ４００）。
【０１１０】
ステップＳ４００において、保存用データ受信モードが選択されていない場合には（ＮＯ）、スキャナ部６７によって通常のスキャンを行う（ステップＳ４０５）。
【０１１１】
一方、ステップＳ４００において、操作受付部６５にて置換印刷が選択されている場合（ＹＥＳの場合）、印刷装置６は、スキャナ部６７によってスキャンを行って、２次元バーコード等のアドレス情報コードやアドレス情報が直接印刷された紙の配布資料をスキャナ部６７でスキャンし（ステップＳ４１０）、紙の配布資料からアドレス情報コードやアドレス情報などの特定情報を認識する（ステップＳ４２０）。
【０１１２】
そして、印刷装置６は、認識した特定情報が２次元バーコード等のアドレス情報コードである場合（ステップＳ４３０；ＹＥＳ）、アドレス情報に変換する（ステップＳ４４０）。
【０１１３】
なお、ステップＳ４００およびステップＳ４０５の処理を省略して、ユーザの設定にかかわらず置換印刷（保存用データ受信）を実行するようにしても良い。
【０１１４】
次に、印刷装置６のＣＰＵ６１は、紙の配布資料から取得したアドレス情報に基づいて、インターネット４を介しデータ保存サーバ５にアクセスし、データ保存サーバ５におけるそのアドレス情報が示す保存先に格納された保存用データをダウンロードし（ステップＳ４５０）、メモリ６２またはＨＤＤ６３に記憶する（ステップＳ４６０）。
【０１１５】
そして、印刷装置６のＣＰＵ６１は、ＨＤＤ６３に記憶した保存用データを印刷する（ステップＳ４７０）。ただし、データ保存サーバ５に保存された保存用データが暗号化されている場合には、ステップＳ４５０のダウンロードの際、配布資料に印刷されていたり、別の用紙や電子メール等により提供されたパスワード等の入力が必要となる。また、この印刷装置６は、保存用データを印刷せずに記憶することも可能である。
【０１１６】
例えば、この印刷装置６のスキャナ部６７が、本発明の実施例１の置換印刷制御プログラム等によって置換印刷された、図７に示すような印刷用データ１０９が印刷された印刷物をスキャンした場合、ＣＰＵ６１は、印刷用データ１０９が印刷された印刷物からアドレス情報コード１０７を読み取り、ＵＲＬ等のアドレス情報１０５に変換する。
【０１１７】
そして、印刷装置６のＣＰＵ６１は、そのアドレス情報１０５に基づきインターネット４を介してデータ保存サーバ５にアクセスして、配布資料にはカラー印刷されなかった保存用データであるカラーの原稿データをダウンロードして、印刷実行部３６で印刷させる。
【０１１８】
また、印刷装置６のスキャナ部６７が、本発明の実施例２の置換印刷制御プログラム等によって置換印刷された例えば図９に示すような１頁ものの印刷用データ２０６をスキャンした場合、印刷装置６のＣＰＵ６１は、アドレス情報コード２０４を読み取って、ＵＲＬ等のアドレス情報２０３に変換する。
【０１１９】
そして、ＣＰＵ６１は、そのアドレス情報２０３に基づいてデータ保存サーバ５にアクセスして、配布資料としては配布されなかった詳細データ２０１ｂをダウンロードすることができ、必要に応じて、印刷実行部６６にて印刷させる。
【０１２０】
さらに、印刷装置６のスキャナ部６７が、本発明の実施例６の置換印刷制御プログラム等によって原稿データがＮアップ印刷された配布資料のアドレス情報コードをスキャンした場合、ＣＰＵ６１は、アドレス情報コードに基づいてデータ保存サーバ５にアクセスして、Ｎアップ印刷されてない状態の原稿データをダウンロードすることができる。
【０１２１】
以上のように、本発明の実施例４の保存用データ受信制御プログラムによれば、本発明の実施例１〜３の置換印刷制御プログラムにより印刷された２次元バーコード等のアドレス情報コードやアドレス情報そのものが印刷された配布資料を配布資料受取者が受け取ると、その受け取った配布資料をスキャンすることにより、アドレス情報を取得し、データ保存サーバ５に保存されているカラーの原稿データや詳細データ、さらにはＮアップ印刷されてない状態の原稿データ等の保存用データをダウンロードすることができる。
【０１２２】
また、本発明の実施例１〜４の説明では、データ保存サーバ５は、インターネット４上に設けているが、イントラネット２上に設けても勿論良いし、印刷装置６等にデータ保存サーバ５としての機能を持たせるようにしても良い。
【符号の説明】
【０１２３】
１…クライアントコンピュータ（置換印刷制御装置）
２…イントラネット
３，６…印刷装置
４…インターネット
５…データ保存サーバ
１１…ＣＰＵ
１２…メモリ
１３…ＨＤＤ
１４…表示部
１５…入力部
１６…通信処理部
１３２，６３１…プリンタドライバ
１３２ａ…置換印刷制御プログラム
２０３…アドレス情報
２０４…アドレス情報コード
６３１ａ…保存用データ受信制御プログラム
【図１】
2014109971.tif 000003
【図２】
2014109971.tif 000004
【図３】
2014109971.tif 000005
【図４】
2014109971.tif 000006
【図５】
2014109971.tif 000007
【図６】
2014109971.tif 000008
【図７】
2014109971.tif 000009
【図８】
2014109971.tif 000010
【図９】
2014109971.tif 000011
【図１０】
2014109971.tif 000012
【図１１】
2014109971.tif 000013